【手続補正書】
【提出日】平成28年2月9日(2016.2.9)
【手続補正１】
【補正対象書類名】明細書
【補正対象項目名】発明の名称
【補正方法】変更
【補正の内容】
【発明の名称】表示装置、表示モジュール、及び電子機器
【手続補正２】
【補正対象書類名】特許請求の範囲
【補正対象項目名】全文
【補正方法】変更
【補正の内容】
【特許請求の範囲】
【請求項１】
走査線と、スイッチと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記スイッチは、前記走査線の他端から前記選択信号と前記非選択信号のうち前記非選択信号のみを前記走査線に供給する機能を有する表示装置。
【請求項２】
走査線と、スイッチと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記スイッチは、前記走査線の他端から前記選択信号と前記非選択信号のうち前記非選択信号のみを前記走査線に供給する機能を有し、
前記スイッチの第１の端子は、第１の配線と電気的に接続されており、
前記スイッチの第２の端子は、前記走査線と電気的に接続されており、
前記第１の配線は、前記非選択信号を供給する機能を有する表示装置。
【請求項３】
第１の走査線と、第２の走査線と、スイッチと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記スイッチは、前記第１の走査線の他端から前記選択信号と前記非選択信号のうち前記非選択信号のみを前記第１の走査線に供給する機能を有し、
前記スイッチのオンまたはオフは、前記第２の走査線の電位に従って制御される表示装置。
【請求項４】
第１の走査線と、第２の走査線と、スイッチと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記スイッチは、前記第１の走査線の他端から前記選択信号と前記非選択信号のうち前記非選択信号のみを前記第１の走査線に供給する機能を有し、
前記スイッチのオンまたはオフは、前記第２の走査線の電位に従って制御されており、
前記スイッチの第１の端子は、第１の配線と電気的に接続されており、
前記スイッチの第２の端子は、前記第１の走査線と電気的に接続されており、
前記第１の配線は、前記非選択信号を供給する機能を有する表示装置。
【請求項５】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有する表示装置。
【請求項６】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有し、
前記トランジスタのソース又はドレインの一方は、第１の配線と電気的に接続されており、
前記トランジスタのソース又はドレインの他方は、前記走査線と電気的に接続されており、
前記第１の配線は、前記非選択信号を供給する機能を有する表示装置。
【請求項７】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されている表示装置。
【請求項８】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されており、
前記トランジスタのソース又はドレインの一方は、第１の配線と電気的に接続されており、
前記トランジスタのソース又はドレインの他方は、前記第１の走査線と電気的に接続されており、
前記第１の配線は、前記非選択信号を供給する機能を有する表示装置。
【請求項９】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有し、
前記トランジスタは、チャネル形成領域に酸化物半導体を有する表示装置。
【請求項１０】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有し、
前記トランジスタのソース又はドレインの一方は、第１の配線と電気的に接続されており、
前記トランジスタのソース又はドレインの他方は、前記走査線と電気的に接続されており、
前記第１の配線は、前記非選択信号を供給する機能を有し、
前記トランジスタは、チャネル形成領域に酸化物半導体を有する表示装置。
【請求項１１】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されており、
前記トランジスタは、チャネル形成領域に酸化物半導体を有する表示装置。
【請求項１２】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されており、
前記トランジスタのソース又はドレインの一方は、第１の配線と電気的に接続されており、
前記トランジスタのソース又はドレインの他方は、前記第１の走査線と電気的に接続されており、
前記第１の配線は、前記非選択信号を供給する機能を有し、
前記トランジスタは、チャネル形成領域に酸化物半導体を有する表示装置。
【請求項１３】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有し、
前記トランジスタは、チャネル形成領域にシリコンを有する表示装置。
【請求項１４】
走査線と、トランジスタと、走査線駆動回路と、を有し、
前記走査線駆動回路は、前記走査線の一端から選択信号を前記走査線に供給する機能と、前記走査線の一端から非選択信号を前記走査線に供給する機能と、を有し、
前記トランジスタは、前記走査線の他端から前記選択信号と前記非選択信号のうち前記非選択信号のみを前記走査線に供給する機能を有し、
前記トランジスタのソース又はドレインの一方は、第１の配線と電気的に接続されており、
前記トランジスタのソース又はドレインの他方は、前記走査線と電気的に接続されており、
前記第１の配線は、前記非選択信号を供給する機能を有し、
前記トランジスタは、チャネル形成領域にシリコンを有する表示装置。
【請求項１５】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されており、
前記トランジスタは、チャネル形成領域にシリコンを有する表示装置。
【請求項１６】
第１の走査線と、第２の走査線と、トランジスタと、走査線駆動回路と、を有し、
前記走査線駆動回路は、前記第１の走査線の一端から選択信号を前記第１の走査線に供給する機能と、前記第１の走査線の一端から非選択信号を前記第１の走査線に供給する機能と、を有し、
前記トランジスタは、前記第１の走査線の他端から前記選択信号と前記非選択信号のうち前記非選択信号のみを前記第１の走査線に供給する機能を有し、
前記トランジスタのゲートは、前記第２の走査線と電気的に接続されており、
前記トランジスタのソース又はドレインの一方は、第１の配線と電気的に接続されており、
前記トランジスタのソース又はドレインの他方は、前記第１の走査線と電気的に接続されており、
前記第１の配線は、前記非選択信号を供給する機能を有し、
前記トランジスタは、チャネル形成領域にシリコンを有する表示装置。
【請求項１７】
請求項１乃至請求項１６のいずれか一に記載の表示装置と、ＦＰＣと、を有する表示モジュール。
【請求項１８】
請求項１７に記載の表示モジュールと、筐体、操作ボタン、スピーカ、またはマイクと、を有する電子機器。